(57)【要約】【課題】ＶＯＸ機能が働く音声のレベル及び周囲音のレベルを意識する必要がない無線通信機を提供する。【解決手段】送信部５は音声入力信号を変調してＲＦ信号として送信する。受信部６は受信したＲＦ信号を復調して音声出力信号として出力する。音声レベル比較部３４は、マイクロホン１が音声を収音することによって得られた音声入力信号のレベルとＶＯＸ感度レベルとを比較する。送信判定部３１は、音声レベル比較部３４による比較結果に基づき、音声入力信号のレベルがＶＯＸ感度レベル以上であれば送信部５に音声入力信号を送信するよう指示する。ＶＯＸ感度レベル演算部３３は、受信部６が音声出力信号の出力を終了する直前までの所定の期間に、マイクロホン１が収音した周囲音に基づいて、ＶＯＸ感度レベルを算出する。【選択図】図１
2019118000.tif 000002
【特許請求の範囲】
【請求項１】
音声入力信号を変調してＲＦ信号として送信する送信部と、
受信したＲＦ信号を復調して音声出力信号として出力する受信部と、
マイクロホンが音声を収音することによって得られた音声入力信号のレベルとＶＯＸ感度レベルとを比較する音声レベル比較部と、
前記音声レベル比較部による比較結果に基づき、前記音声入力信号のレベルが前記ＶＯＸ感度レベル以上であれば前記送信部に前記音声入力信号を送信するよう指示する送信判定部と、
前記受信部が音声出力信号の出力を終了する直前までの所定の期間に、前記マイクロホンが収音した周囲音に基づいて、前記ＶＯＸ感度レベルを算出するＶＯＸ感度レベル演算部と、
を備えることを特徴とする無線通信機。
【請求項２】
前記ＶＯＸ感度レベル演算部は、前記ＶＯＸ感度レベルとして、第１のＶＯＸ感度レベルと、前記第１のＶＯＸ感度レベルよりも低い第２のＶＯＸ感度レベルとを算出し、
前記受信部が音声出力信号の出力を完了した時点からの経過時間を計測する経過時間計測部と、
前記音声レベル比較部が前記音声入力信号のレベルと比較するＶＯＸ感度レベルとして、前記経過時間計測部が計測する経過時間が所定の時間に到達するまでは前記第２のＶＯＸ感度レベルを選択し、前記経過時間計測部が計測する経過時間が前記所定の時間を超えれば第１のＶＯＸ感度レベルを選択するＶＯＸ感度レベル選択部と、
をさらに備えることを特徴とする請求項１に記載の無線通信機。
【請求項３】
前記ＶＯＸ感度レベル演算部は、
前記音声入力信号の予め設定した時間内のレベルの最大値から平均値を減算した減算値が閾値を超えていれば、前記平均値に所定のオフセット値を加算した加算値を前記第１のＶＯＸ感度レベルとし、
前記減算値が閾値を超えていなければ、前記最大値にオフセット値を加算した加算値を前記第１のＶＯＸ感度レベルとする
ことを特徴とする請求項２に記載の無線通信機。
【発明の詳細な説明】
【技術分野】
【０００１】
本発明は、ＶＯＸ（Voice-operated Transmit）機能を搭載する無線通信機に関する。
【背景技術】
【０００２】
半二重通信方式を採用する無線通信機においては、ＰＴＴ（Push To Talk）スイッチを押下することによって無線通信機を送信状態へと切り替え、ＰＴＴスイッチの押下を解除することによって無線通信機を受信待ち受け状態へと切り替える。
【０００３】
これに加えて、無線通信機は、ハンズフリー通話を実現するために、マイクロホンが所定のレベル以上の音声を収音したときに無線通信機を送信状態に切り替える、いわゆるＶＯＸ機能を搭載することがある（特許文献１参照）。
【先行技術文献】
【特許文献】
【０００４】
【特許文献１】特許第３９１９６９７号公報
【発明の概要】
【発明が解決しようとする課題】
【０００５】
ＶＯＸ機能を搭載する無線通信機において、ＶＯＸ機能を働かせるためには、マイクロホンが所定のレベル以上の音声を収音しなければならない。そこで、ユーザは、ＶＯＸ機能が働く音声のレベルを意識しながら話す必要があった。例えば、送信を開始したい場合に意図的に大きな音量で通話を開始するといったことを意識する必要があった。
【０００６】
そこで、全二重通信方式を採用する携帯電話のように、通話を開始するときの音声のレベルを意識することなく自然に通話することができる無線通信機の登場が望まれる。このとき、周囲音のレベルも意識することなくＶＯＸ機能を働かせることが望まれる。
【０００７】
本発明は、ＶＯＸ機能が働く音声のレベル及び周囲音のレベルを意識する必要がなく、通信相手との会話が継続しているときには通常の音量で通話を開始することができる無線通信機を提供することを目的とする。
【課題を解決するための手段】
【０００８】
本発明は、音声入力信号を変調してＲＦ信号として送信する送信部と、受信したＲＦ信号を復調して音声出力信号として出力する受信部と、マイクロホンが音声を収音することによって得られた音声入力信号のレベルとＶＯＸ感度レベルとを比較する音声レベル比較部と、前記音声レベル比較部による比較結果に基づき、前記音声入力信号のレベルが前記ＶＯＸ感度レベル以上であれば前記送信部に前記音声入力信号を送信するよう指示する送信判定部と、前記受信部が音声出力信号の出力を終了する直前までの所定の期間に、前記マイクロホンが収音した周囲音に基づいて、前記ＶＯＸ感度レベルを算出するＶＯＸ感度レベル演算部とを備えることを特徴とする無線通信機を提供する。
【発明の効果】
【０００９】
本発明の無線通信機によれば、ＶＯＸ機能が働く音声のレベル及び周囲音のレベルを意識する必要がなく、通信相手との会話が継続しているときには通常の音量で通話を開始することができる。
【図面の簡単な説明】
【００１０】
【図１】一実施形態の無線通信機を示すブロック図である。
【図２】一実施形態の無線通信機の音声送信処理に関する動作を示すフローチャートである。
【図３】一実施形態の無線通信機が受信中の動作を示すフローチャートである。
【図４Ａ】一実施形態の無線通信機におけるＶＯＸ感度レベルの第１の設定方法を概念的に示す図である。
【図４Ｂ】一実施形態の無線通信機におけるＶＯＸ感度レベルの第２の設定方法を概念的に示す図である。
【図５】一実施形態の無線通信機が受信を完了した後に送信を開始するときの動作の一例を概念的に示す図である。
【発明を実施するための形態】
【００１１】
以下、一実施形態の無線通信機１００について、添付図面を参照して説明する。図１に示すように、無線通信機１００は、マイクロホン１、Ａ／Ｄ変換器２、中央処理装置（以下、ＣＰＵ）３、記憶部４、送信部５、受信部６、送受信用のアンテナ７を備える。記憶部４は不揮発性メモリであり、例えばＥＥＰＲＯＭ（Electrically Erasable and Programmable Read-only Memory）である。図１では、ＰＴＴスイッチの図示を省略している。マイクロホン１は無線通信機１００に対して着脱自在であってもよい。
【００１２】
マイクロホン１はユーザが発する音声を収音し、アナログの音声入力信号をＡ／Ｄ変換器２に供給する。Ａ／Ｄ変換器２は、アナログの音声入力信号をＡ／Ｄ変換して、デジタルの音声入力信号をＣＰＵ３に供給する。
【００１３】
送信部５は、マイクロホン１が検出した音声入力信号を所定の変調方式で変調してＲＦ信号に変換し、アンテナ７からＲＦ信号を送信する。受信部６は、アンテナ７で検出したＲＦ信号を復調し音声出力信号とし、図示しないスピーカまたはイヤホンといった電気音響変換器から音声として出力する。
【００１４】
ＣＰＵ３は、送信判定部３１、バッファ３２、ＶＯＸ感度レベル演算部３３、音声レベル比較部３４、受信判断部３５、経過時間計測部３６、ＶＯＸ感度レベル選択部３７を有する。
【００１５】
送信判定部３１からＶＯＸ感度レベル選択部３７までの各部は、ＣＰＵ３で実行されるソフトウェア（コンピュータプログラム）による機能として構成されているが、送信判定部３１からＶＯＸ感度レベル選択部３７までの各部をハードウェアで構成してもよい。ハードウェアとソフトウェアとを混在させてもよく、ハードウェアとソフトウェアとの使い分けは任意である。
【００１６】
Ａ／Ｄ変換器２より出力された音声入力信号は、送信判定部３１、バッファ３２、及び音声レベル比較部３４に供給される。受信判断部３５は、受信部６がＲＦ信号を受信中である否か、つまり受信部６が、ＲＦ信号を復調して音声出力信号を出力中であるか、出力を完了したかを判断する。例えば、受信判断部３５は、ノイズスケルチにより音声出力信号を出力中であるか出力を完了したかを判断してもよい。
【００１７】
受信部６が受信中であるとき、つまり受信部６が音声出力信号を出力中であるとき、バッファ３２は、Ａ／Ｄ変換器２より出力された音声入力信号の所定時間分を保存する。つまり、受信部６が受信中であるときにマイクロホン１が検出する音声入力信号は周囲音であり、バッファ３２は、受信部６が受信中であるときに、周囲音を保存する。受信部６が受信を終了した場合、ＶＯＸ感度レベル演算部３３は、バッファ３２より読み出された周囲音の音声入力信号のレベルに基づいて、後述するようにしてＶＯＸ感度レベルを算出する。詳細には、ＶＯＸ感度レベル演算部３３は、第１のＶＯＸ感度レベルと、第１のＶＯＸ感度レベルよりも低いレベルを有する第２のＶＯＸ感度レベルとを算出する。
【００１８】
バッファ３２は、少なくとも、ＶＯＸ感度レベル演算部３３がＶＯＸ感度レベルを算出するのに必要な所定時間だけ音声入力信号を保存する容量を有していればよい。バッファ３２は、最新の所定時間の音声入力信号を保存するよう、音声入力信号を更新し記憶する。つまり、バッファ３２は、受信部６が受信を終了する直前までの所定時間の周囲音を保存する。
【００１９】
ＶＯＸ感度レベル演算部３３がＶＯＸ感度レベルを算出するとき、マイクロホン１が、受信部６が受信している音声を収音しないようにしている。一例として、ユーザがヘッドセットを利用して受信部６が出力している音声を聞くことにより、マイクロホン１が、受信部６が出力している音声を収音せず、周囲音（環境音）のみを収音することができる。受信部６が受信している音声をスピーカより出力する場合には、マイクロホン１が、スピーカより出力された音声をキャンセルした音声を収音するように構成してもよい。
【００２０】
このようにして、ＶＯＸ感度レベル演算部３３は、マイクロホン１が周囲音を収音した音声入力信号のレベルに基づいてＶＯＸ感度レベルを算出する。即ち、ＶＯＸ感度レベルは、周囲音のレベルに応じて可変される。
【００２１】
第１及び第２のＶＯＸ感度レベルは、記憶部４に供給されて記憶される。受信判断部３５が受信を完了したと判断したとき、経過時間計測部３６は受信を完了した時点からの経過時間を計測する。ＶＯＸ感度レベル選択部３７は、経過時間計測部３６が計測する経過時間が所定の時間に到達するまでは、記憶部４より第２のＶＯＸ感度レベルを選択して読み出して、音声レベル比較部３４に供給する。ＶＯＸ感度レベル選択部３７は、経過時間計測部３６が計測する経過時間が所定の時間を超えたら、記憶部４より第１のＶＯＸ感度レベルを選択して読み出して、音声レベル比較部３４に供給する。
【００２２】
音声レベル比較部３４は、Ａ／Ｄ変換器２より出力された音声入力信号のレベル（入力音声レベル）と、ＶＯＸ感度レベル選択部３７から供給されたＶＯＸ感度レベル（第１のＶＯＸ感度レベルと第２のＶＯＸ感度レベルとのうちのいずれか一方）とを比較する。音声レベル比較部３４は、比較結果を送信判定部３１に供給する。
【００２３】
送信判定部３１は、比較結果に基づき、Ａ／Ｄ変換器２より出力された音声入力信号のレベルがＶＯＸ感度レベル選択部３７から供給されたＶＯＸ感度レベル以上であれば、音声入力信号を送信部５に供給し、音声入力信号を送信するよう送信部５に指示する。送信部５は、音声入力信号を符号化し、変調してアンテナ７より送信する。さらに、送信判定部３１は、送信部５に音声入力信号を送信するよう指示する際に、受信部６に受信の動作を停止するよう指示する。
【００２４】
上記のように、第１のＶＯＸ感度レベルと第２のＶＯＸ感度レベルとは、第１のＶＯＸ感度レベル＞第２のＶＯＸ感度レベルの関係にある。即ち、無線通信機１００が第２のＶＯＸ感度レベルを基準として、マイクロホン１が収音する音声が所定のレベル以上であるか否かを判定すれば、比較的小さい音量でＶＯＸ機能が働くことになるので、ＶＯＸ機能の感度を高くすることができる。
【００２５】
無線通信機１００が第１のＶＯＸ感度レベルを基準として、マイクロホン１が収音する音声が所定のレベル以上であるか否かを判定すれば、第２のＶＯＸ感度レベルを基準とした場合よりも大きい音量でＶＯＸ機能が働くことになるので、ＶＯＸ機能の感度を低くすることができる。
【００２６】
図２及び図３に示すフローチャートと図４Ａ及び図４Ｂに示す概念図を用いて、無線通信機１００の動作をさらに詳細に説明する。図２において、図示していない電源が投入されて無線通信機１００が動作を開始すると、ＣＰＵ３（受信判断部３５）は、ステップＳ１にて、受信中であるか否かを判定する。受信中であれば（YES）、ＣＰＵ３は、図３に示す処理を実行して、処理をステップＳ１に戻す。
【００２７】
ステップＳ１にて受信中でなければ（NO）、ＣＰＵ３（送信判定部３１）は、ステップＳ２にて、送信中であるか否かを判定する。送信中でなければ（NO）、ＣＰＵ３（音声レベル比較部３４）は、ステップＳ３にて、入力音声レベルがＶＯＸ感度レベル以上であるか否かを判定する。ここでのＶＯＸ感度レベルとは、第１または第２のＶＯＸ感度レベルである。入力音声レベルがＶＯＸ感度レベル以上でなければ（NO）、ＣＰＵ３は、処理をステップＳ１に戻す。
【００２８】
ステップＳ３にて入力音声レベルがＶＯＸ感度レベル以上であれば（YES）、ＣＰＵ３（送信判定部３１）は、ステップＳ４にて、音声入力信号の送信を開始して、処理をステップＳ２に戻す。
【００２９】
ステップＳ２にて送信中であれば（YES）、ＣＰＵ３（音声レベル比較部３４）は、ステップＳ５にて、入力音声レベルが、ＶＯＸ感度レベルから所定のオフセット値を減算した（ＶＯＸ感度レベル−オフセット値）未満であるか否かを判定する。ここでのＶＯＸ感度レベルも、第１または第２のＶＯＸ感度レベルである。
【００３０】
入力音声レベルが（ＶＯＸ感度レベル−オフセット値）未満であれば（YES）、ＣＰＵ３（音声レベル比較部３４）は、ステップＳ６にて、入力音声レベルが（ＶＯＸ感度レベル−オフセット値）未満の状態が所定時間以上継続しているか否かを判定する。入力音声レベルがＶＯＸ感度レベル未満の状態が所定時間以上継続していなければ（NO）、ＣＰＵ３（音声レベル比較部３４）は、処理をステップＳ５に戻す。
【００３１】
ステップＳ６にて入力音声レベルが（ＶＯＸ感度レベル−オフセット値）未満の状態が所定時間以上継続していれば（YES）、ＣＰＵ３（送信判定部３１）は、ステップＳ７にて、音声入力信号の送信を終了させる。
【００３２】
ステップＳ５にて入力音声レベルが（ＶＯＸ感度レベル−オフセット値）未満であるか否かを判定しているのは、入力音声レベルがＶＯＸ感度レベルを下回る状態が所定時間以上継続したとしても送信を終了させず、ほぼ確実に通話が完了したと判断される状態で送信を終了させるためである。
【００３３】
なお、ステップＳ６での所定時間を長くすれば、ステップＳ５でのオフセット値を小さな値または０とすることも可能である。ステップＳ５でのオフセットは適宜の値に設定すればよい。
【００３４】
ＣＰＵ３は、ステップＳ７に続けて、ステップＳ８にて、電源が切断されたか否かを判定する。電源が切断されなければ（NO）、ＣＰＵ３は、無線通信機１００を受信待ち受け状態として処理をステップＳ１に戻す。電源が切断されれば（YES）、ＣＰＵ３は、無線通信機１００の動作を終了させる。
【００３５】
次に、図３を用いて、ステップＳ１にて受信中であると判定されたときの動作を説明する。図３において、ＣＰＵ３は、ステップＳ１１にて、マイクロホン１からの入力音声（Ａ／Ｄ変換器２より出力された音声入力信号）をバッファ３２に保存させる。つまり受信中の周囲音を入力音声としてバッファ３２に保存させる。ＣＰＵ３（ＶＯＸ感度レベル演算部３３）は、ステップＳ１２にて、所定時間内の入力音声レベルの最大値と平均値を取得する。
【００３６】
ＣＰＵ３（ＶＯＸ感度レベル演算部３３）は、ステップＳ１３にて、最大値から平均値を減算した減算値が所定の閾値を超えるか否かを判定する。減算値が閾値を超えていれば（YES）、ＣＰＵ３（ＶＯＸ感度レベル演算部３３）は、ステップＳ１４にて、平均値に所定のオフセット値を加算した加算値を第１のＶＯＸ感度レベルに設定する。減算値が閾値を超えていなければ（NO）、ＣＰＵ３（ＶＯＸ感度レベル演算部３３）は、ステップＳ１５にて、最大値に所定のオフセット値を加算した加算値を第１のＶＯＸ感度レベルに設定する。
【００３７】
図４Ａは、ＶＯＸ感度レベルの第１の設定方法であるステップＳ１４の処理を概念的に示している。図４Ａ、図４Ｂ、及び図５において、ＳｉｎはＣＰＵ３に入力された音声入力信号を示している。図４Ａにおいて、予め設定した時間Ｔ内において、入力音声レベルの最大値Ｌｍａｘから平均値Ｌａｖｅを減算した減算値は閾値を超えているとする。図４Ａに示すように減算値が閾値を超えている場合、最大値Ｌｍａｘは瞬間的なピークノイズであると考えられ、最大値Ｌｍａｘを基準として第１のＶＯＸ感度レベルＬｖｏｘ１に設定することは好ましくない。
【００３８】
そこで、ＶＯＸ感度レベル演算部３３は、平均値Ｌａｖｅに所定のオフセット値Ｌoffsetを加算した加算値を第１のＶＯＸ感度レベルＬｖｏｘ１に設定する。オフセット値Ｌoffsetは適宜の値に設定すればよい。
【００３９】
図４Ｂは、ＶＯＸ感度レベルの第２の設定方法であるステップＳ１５の処理を概念的に示している。図４Ｂにおいて、時間Ｔ内において、入力音声レベルの最大値Ｌｍａｘから平均値Ｌａｖｅを減算した減算値は閾値を超えていないとする。図４Ｂに示すように減算値が閾値を超えていなければ、最大値Ｌｍａｘはピークノイズではなく、最大値Ｌｍａｘを基準として第１のＶＯＸ感度レベルＬｖｏｘ１に設定するのがよい。
【００４０】
そこで、ＶＯＸ感度レベル演算部３３は、最大値Ｌｍａｘにオフセット値Ｌoffsetを加算した加算値を第１のＶＯＸ感度レベルＬｖｏｘ１に設定する。
【００４１】
ＶＯＸ感度レベル演算部３３が時間Ｔ内の最大値と平均値を取得するとき、時間Ｔを単位時間ごとに分割して、単位時間ごとの最大値を求めて全ての最大値の平均を時間Ｔ内の平均値とし、全ての最大値の中の最大値を時間Ｔ内の最大値としてもよい。
【００４２】
図３に戻り、ＣＰＵ３（ＶＯＸ感度レベル演算部３３）は、ステップＳ１６にて、第１のＶＯＸ感度レベルより低いレベルを有する第２のＶＯＸ感度レベルを算出する。図４Ａ及び図４Ｂに示すように、ステップＳ１６の処理によって、第１のＶＯＸ感度レベルＬｖｏｘ１より低いレベルを有する第２のＶＯＸ感度レベルＬｖｏｘ２が設定される。第２のＶＯＸ感度レベルＬｖｏｘ２は、平均値Ｌａｖｅまたは最大値Ｌｍａｘにオフセット値Ｌoffsetよりも小さいオフセット値を加算した加算値である。
【００４３】
図３において、ＣＰＵ３（受信判断部３５）は、ステップＳ１７にて、受信を完了したか否かを判定する。受信を完了していなければ（NO）、ＣＰＵ３は処理をステップＳ１１に戻し、ステップＳ１１〜Ｓ１７の処理を繰り返す。従って、無線通信機１００は、受信している期間中、時間Ｔごとに第１のＶＯＸ感度レベルＬｖｏｘ１及び第２のＶＯＸ感度レベルＬｖｏｘ２を算出する処理を繰り返す。
【００４４】
ステップＳ１７にて受信を完了していれば（YES）、ＣＰＵ３（ＶＯＸ感度レベル演算部３３）は、ステップＳ１８にて、第１のＶＯＸ感度レベルＬｖｏｘ１及び第２のＶＯＸ感度レベルＬｖｏｘ２を記憶部４に記憶させる。記憶部４には、受信を完了する直前の時間Ｔにおいて算出された第１のＶＯＸ感度レベルＬｖｏｘ１及び第２のＶＯＸ感度レベルＬｖｏｘ２が記憶される。
【００４５】
即ち、記憶部４に記憶される第１のＶＯＸ感度レベルＬｖｏｘ１及び第２のＶＯＸ感度レベルＬｖｏｘ２は、受信を完了する直前の周囲音のレベルに応じて設定されたＶＯＸ感度レベルである。
【００４６】
ＣＰＵ３（経過時間計測部３６）は、ステップＳ１９にて、受信を完了した時点からの経過時間を計測する。ＣＰＵ３（経過時間計測部３６）は、ステップＳ２０にて、受信を完了した時点からの経過時間が所定の時間を超えたか否かを判定する。経過時間が所定の時間を超えていなければ（NO）、ＣＰＵ３（ＶＯＸ感度レベル選択部３７）は、ステップＳ２１にて、第２のＶＯＸ感度レベルＬｖｏｘ２を選択して、処理をステップＳ２０に戻す。
【００４７】
ステップＳ２０にて経過時間が所定の時間を超えていれば（YES）、ＣＰＵ３（ＶＯＸ感度レベル選択部３７）は、ステップＳ２２にて、第１のＶＯＸ感度レベルＬｖｏｘ１を選択して、処理を図２のステップＳ１に戻す。
【００４８】
以上の図３に示す処理によって、図２のステップＳ３及びＳ５において入力音声レベルと比較するＶＯＸ感度レベルは、受信部６が受信を完了した時点から所定の時間以内であれば第２のＶＯＸ感度レベルＬｖｏｘ２とされ、所定の時間を超えれば第１のＶＯＸ感度レベルＬｖｏｘ１とされる。
【００４９】
図５を用いて、無線通信機１００が受信を完了した後に送信を開始するときの動作の一例を説明する。図５において、無線通信機１００は、時刻ｔ１にて、受信を完了する。前述のように、ＣＰＵ３は、時刻ｔ１以前の受信中に、第１のＶＯＸ感度レベルＬｖｏｘ１及び第２のＶＯＸ感度レベルＬｖｏｘ２を算出して、記憶部４に記憶させている。ＣＰＵ３は、時刻ｔ１から時刻ｔ２までの時間においては、第２のＶＯＸ感度レベルＬｖｏｘ２を選択し、時刻ｔ２以降、第１のＶＯＸ感度レベルＬｖｏｘ１を選択する。
【００５０】
ユーザが、時刻ｔ１から時刻ｔ２までの時間内の時刻ｔ３にて、送信するために所定の音量で通話を開始する。直後に、ＣＰＵ３への入力音声レベルが第２のＶＯＸ感度レベルＬｖｏｘ２を超えるため、無線通信機１００は時刻ｔ４にてＶＯＸ機能が働いて音声入力信号を送信する。
【００５１】
図５における時刻ｔ１以降の所定時間、ユーザは、応答するため送信しようとして通話を開始する可能性が高い。時刻ｔ１から時刻ｔ２までの時間において第２のＶＯＸ感度レベルＬｖｏｘ２が選択されているので、ユーザは、意図的に大きな音量で通話を開始する必要はなく、通常の音量で通話を開始することができる。よって、通信相手からの受信が終了した後にさほど時間を空けずに通話を開始するときに不自然に大きな音量で話す必要がなく、通信相手と自然な会話をすることが可能となる。
【００５２】
受信完了後の経過時間が所定時間を超えれば、通信相手との会話が一旦終了した状態である。このとき第１のＶＯＸ感度レベルＬｖｏｘ１が選択されているので、ユーザが通話を再開させようとするときには、意図的に大きな音量で話すことによってＶＯＸ機能が働いて通話を再開させることができる。
【００５３】
なお、無線通信機１００が第２のＶＯＸ感度レベルＬｖｏｘ２を常時用いると、比較的小さい音量でＶＯＸ機能が働くため誤動作が発生するおそれがある。よって、第２のＶＯＸ感度レベルＬｖｏｘ２を常時用いることは好ましくない。第２のＶＯＸ感度レベルＬｖｏｘ２を用いる時間を、受信完了後の経過時間が所定時間以内と限定することによって誤動作の発生を防ぎつつ、通信相手と自然な会話をすることができる。
【００５４】
また、無線通信機１００によれば、ＶＯＸ感度レベルが周囲音のレベルに応じて可変されるので、周囲音のレベルに応じて最適なＶＯＸ感度レベルを設定することができる。よって、ユーザが音声を発生していないのに周囲音によってＶＯＸ機能が働くという誤動作の発生を防ぐことができる。ユーザは周囲音が小さい環境では小さな音量で通話すればよいため、大きな音量で通話する必要はない。
【００５５】
以上のように、本実施形態の無線通信機１００によれば、ＶＯＸ機能が働く音声のレベル及び周囲音のレベルを意識する必要がなく、通信相手との会話が継続しているときには通常の音量で通話を開始することができる。
【００５６】
本発明は以上説明した本実施形態に限定されるものではなく、本発明の要旨を逸脱しない範囲において種々変更可能である。
【符号の説明】
【００５７】
１  マイクロホン
２  Ａ／Ｄ変換器
３  中央処理装置（ＣＰＵ）
４  記憶部
５  送信部
６  受信部
７  アンテナ
３１  送信判定部
３２  バッファ
３３  ＶＯＸ感度レベル演算部
３４  音声レベル比較部
３５  受信判断部
３６  経過時間計測部
３７  ＶＯＸ感度レベル選択部
１００  無線通信機
【図１】
2019118000.tif 000003
【図２】
2019118000.tif 000004
【図３】
2019118000.tif 000005
【図４Ａ】
2019118000.tif 000006
【図４Ｂ】
2019118000.tif 000007
【図５】
2019118000.tif 000008